(57)【要約】【課題】  移動スリーブを移動させるのに要する荷重を低減させることができる管接続具を提供する。【解決手段】  管接続具２は、接続具本体３と移動スリーブ４とからなる。接続具本体３は、合成樹脂製の管１の接続端部１ａに内挿される内挿筒部３ａを備える。移動スリーブ４は、管１の外周側に嵌められ、その管１の接続端部１ａを内挿筒部３ａとで挟持する。ここで、接続具本体３は、内挿筒部３ａの基端から外側に張り出した張出部３ｃと、張出部３ｃから手前側に突出して、接続端部１ａの先端１ｃに当接する、管移動規制部３ｄとを有する。そこで、内挿筒部３ａの外周部回りには、移動スリーブ４が、内挿筒部３ａの基端側方向に移動することで、移動スリーブ４に押された接続端部１ａの先端１ｃが管移動規制部３ｄの先端３ｇから内方に落ち込むようにして、接続端部１ａの先端部分１ｂの全体が内挿筒部３ａの基端側に進む、進入空間３ｅが設けられている。【選択図】  図８
2006336707.tif 000002
【特許請求の範囲】
【請求項１】
合成樹脂製の管を接続する管接続具であって、
前記管の接続端部に内挿される内挿筒部を備えた接続具本体と、
前記管の外周側に嵌められ、前記管の接続端部に内挿された前記内挿筒部の基端側方向に移動して、前記接続端部を前記内挿筒部とで挟持する移動スリーブとからなり、
前記接続具本体は、前記内挿筒部の基端から外側に張り出した張出部を有し、かつ、前記接続具本体は、前記張出部から前記内挿筒部の先端側に突出して、その突出した側の先端が、前記内挿筒部の基端側への前記接続端部の相対的な移動を規制するようにその接続端部の先端に当接する、管移動規制部を有し、
前記内挿筒部の外周部回りには、前記管の外周側に嵌められた前記移動スリーブが、前記接続端部に内挿された前記内挿筒部の基端側方向に移動することで、前記移動スリーブに押された前記接続端部の先端が前記管移動規制部の先端から内方に落ち込むようにして、前記接続端部の先端部分の全体が前記内挿筒部の基端側に進む、進入空間が設けられていることを特徴とする管接続具。
【請求項２】
前記進入空間には、前記移動スリーブの移動によって前記進入空間に押し出されて進む前記接続端部の先端部分に当接して、その接続端部がさらに押し出されるのを規制する第２管移動規制部が設けられていることを特徴とする請求項１に記載の管接続具。
【請求項３】
前記管移動規制部は、前記張出部の周方向の一部において突出し、その管移動規制部が突出していない部分に備わる空間が、前記進入空間を外方に臨ませる窓部となっていることを特徴とする請求項１または２に記載の管接続具。
【請求項４】
前記管移動規制部は、前記張出部の周方向の一部において突出し、その管移動規制部が突出していない部分に備わる空間が、前記進入空間を外方に臨ませる窓部となっており、
前記第２管移動規制部は、前記窓部に対応するようにして設けられた押出部からなり、その押出部は、前記内挿筒部から外方に向けて延出し、前記移動スリーブの移動によって前記進入空間に押し出されて進む前記接続端部の先端部分を乗り上げさせるようにして外方に押し出すことを特徴とする請求項２に記載の管接続具。
【請求項５】
前記管移動規制部と前記内挿筒部との間には、前記移動スリーブの移動によって前記進入空間に押し出されて進む前記接続端部の先端部分を分け開くようにして前記押出部側に導くリブが設けられていることを特徴とする請求項４に記載の管接続具。
【請求項６】
前記管移動規制部の先端の、前記内挿筒部側の辺は、その辺の中央にて前記内挿筒部の軸心を中心とする円と接するような直線となっていることを特徴とする請求項３ないし５のいずれか１項に記載の管接続具。
【請求項７】
前記管移動規制部は、前記内挿筒部の基端側方向に移動した前記移動スリーブの移動を止めるスリーブストッパ壁を兼ねていることを特徴とする請求項１ないし６のいずれか１項に記載の管接続具。
【発明の詳細な説明】
【技術分野】
【０００１】
この発明は、合成樹脂製の管を接続するための管接続具に関するものである。
【背景技術】
【０００２】
従来、合成樹脂製の通水管を接続する接続具があった（例えば、特許文献１参照）。この接続具は、図１１および図１２に示すように、接続具本体１３と移動スリーブ１４とから構成されていた。ここで、接続具本体１３は、通水管１１の接続端部１１ａに内挿される内挿筒部１３ａを備えていた。一方、移動スリーブ１４は、通水管１１の外周側に嵌められ、通水管１１の接続端部１１ａに内挿された内挿筒部１３ａの基端側方向に移動して、接続端部１１ａを内挿筒部１３ａとで挟持するものであった。そして、接続具本体１３には、通水管１１における接続端部１１ａの移動を防止する移動防止部１３ｂと、移動スリーブ１４の移動により押し出された接続端部１１ａの管材料を受容する受容部１３ｃとが設けられていた。すなわち、移動スリーブ１４を、通水管１１の接続端部１１ａに内挿された内挿筒部１３ａの基端側方向に移動させると、接続端部１１ａの先端１１ｃが移動防止部１３ｂの先端１３ｄに当接したままの状態で、移動スリーブ１４の移動によってしごかれて集まった接続端部１１ａの管材料が、受容部１３ｃ側に押し出された（図１２参照）。
【０００３】
【特許文献１】特開２０００−２３８４号公報
【発明の開示】
【発明が解決しようとする課題】
【０００４】
ところで、前記従来の接続具にあっては、受容部１３ｃがあるものの、移動スリーブ１４を移動させたときに、接続端部１１ａの先端１１ｃの一部が移動防止部１３ｂの先端に当接したままであるため、接続端部１１ａの先端部分１１ｂが膨らみ、移動スリーブ１４を移動させるのに要する荷重が大きくなった。
【０００５】
この発明は、上記した従来の欠点を解決するためになされたものであり、その目的とするところは、移動スリーブを移動させるのに要する荷重を低減させることができる管接続具を提供することにある。
【課題を解決するための手段】
【０００６】
この発明に係る管接続具は、前記目的を達成するために、次の構成からなる。すなわち、
請求項１に記載の発明に係る管接続具は、合成樹脂製の管を接続する管接続具であって、前記管の接続端部に内挿される内挿筒部を備えた接続具本体と、前記管の外周側に嵌められ、前記管の接続端部に内挿された前記内挿筒部の基端側方向に移動して、前記接続端部を前記内挿筒部とで挟持する移動スリーブとからなる。ここで、前記接続具本体は、前記内挿筒部の基端から外側に張り出した張出部を有し、かつ、前記接続具本体は、前記張出部から前記内挿筒部の先端側に突出して、その突出した側の先端が、前記内挿筒部の基端側への前記接続端部の相対的な移動を規制するようにその接続端部の先端に当接する、管移動規制部を有する。そこで、前記内挿筒部の外周部回りには、前記管の外周側に嵌められた前記移動スリーブが、前記接続端部に内挿された前記内挿筒部の基端側方向に移動することで、前記移動スリーブに押された前記接続端部の先端が前記管移動規制部の先端から内方に落ち込むようにして、前記接続端部の先端部分の全体が前記内挿筒部の基端側に進む、進入空間が設けられる。
【０００７】
この管接続具に合成樹脂製の管を接続するには、接続具本体の内挿筒部を前記管の接続端部に内挿し、管の外周側に嵌められた移動スリーブを、内挿筒部の基端側方向に移動させる。このとき、移動する移動スリーブに押されるようにして、接続端部は、内挿筒部の基端側に移動しようとするが、その接続端部の移動は、接続端部の先端が管移動規制部の先端に当接することで、一時的に阻止される。さらに移動スリーブを移動させると、移動スリーブに押された接続端部の先端が、管移動規制部の先端から内方に落ち込むようにして、接続端部の先端部分は、管移動規制部の先端に取り残されることなく、その全体が、進入空間に進入して内挿筒部の基端側に進む。そして、このように、接続端部の先端部分の全体が進入空間に進入することで、従来のような接続端部の先端の一部が移動防止部の先端に当接したままその接続端部の先端部分が膨らむ問題もなく、移動スリーブを移動させるのに要する荷重が低減する。また、進入空間は、管移動規制部よりも内挿筒部側、すなわち管移動規制部の内側に位置するため、接続端部の外径が大であるほど、接続端部の先端部分が管移動規制部の先端に留まり、進入空間に進入するタイミングが遅れる。さらに、接続端部の外径が大であるほど、接続端部の外周と移動スリーブの内周との摩擦が増加し、接続端部は、移動スリーブの移動に追従して移動する度合いが増加する。これら二つの要因により、接続端部の先端部分が進入空間に進入する量を、接続端部の外径のばらつきに関わらず、一定の範囲に収めることが可能となる。
【０００８】
また、請求項２に記載の発明に係る管接続具にあっては、請求項１に記載の管接続具において、前記進入空間には、前記移動スリーブの移動によって前記進入空間に押し出されて進む前記接続端部の先端部分に当接して、その接続端部がさらに押し出されるのを規制する第２管移動規制部が設けられている。
【０００９】
また、請求項３に記載の発明に係る管接続具にあっては、請求項１または２に記載の管接続具において、前記管移動規制部は、前記張出部の周方向の一部において突出し、その管移動規制部が突出していない部分に備わる空間が、前記進入空間を外方に臨ませる窓部となっている。このように、進入空間を外方に臨ませる窓部を設けることで、この窓部から接続端部の先端部分を目視することができ、管の接続状態を確認することができる。
【００１０】
また、請求項４に記載の発明に係る管接続具にあっては、請求項２に記載の管接続具において、前記管移動規制部は、前記張出部の周方向の一部において突出し、その管移動規制部が突出していない部分に備わる空間が、前記進入空間を外方に臨ませる窓部となっている。そして、前記第２管移動規制部は、前記窓部に対応するようにして設けられた押出部からなる。この押出部は、前記内挿筒部から外方に向けて延出し、前記移動スリーブの移動によって前記進入空間に押し出されて進む前記接続端部の先端部分を乗り上げさせるようにして外方に押し出すものである。これにより、進入空間に進入した接続端部の先端部分は、窓部に対応する押出部を乗り上げるようにして外方に押し出される。こうして、管の接続端部の先端部分は、押出部を乗り上げるようにして押し出されるが、押出部は、窓部に対応するように設けられており、接続端部の先端部分における、窓部側の管材料は、管移動規制部側の管材料を引っ張るようにして、効率良く窓部方向に押し出される。そして、このように、接続端部の先端部分が、窓部方向に押し出されることで、窓部から、接続端部の先端部分を容易に目視することができ、管の接続状態を簡単に確認することができる。
【００１１】
また、請求項５に記載の発明に係る管接続具にあっては、請求項４に記載の管接続具において、前記管移動規制部と前記内挿筒部との間には、前記移動スリーブの移動によって前記進入空間に押し出されて進む前記接続端部の先端部分を分け開くようにして前記押出部側に導くリブが設けられている。こうして、管の接続端部の先端部分は、リブによって押出部側に導かれるため、接続端部の先端部分における、窓部側の管材料は、一層効率良く窓部方向に押し出される。したがって、窓部から、接続端部の先端部分を一層容易に目視することができる。
【００１２】
また、請求項６に記載の発明に係る管接続具にあっては、請求項３ないし５のいずれか１項に記載の管接続具において、前記管移動規制部の先端の、前記内挿筒部側の辺は、その辺の中央にて前記内挿筒部の軸心を中心とする円と接するような直線となっている。
【００１３】
また、請求項７に記載の発明に係る管接続具にあっては、請求項１ないし６のいずれか１項に記載の管接続具において、前記管移動規制部は、前記内挿筒部の基端側方向に移動した前記移動スリーブの移動を止めるスリーブストッパ壁を兼ねている。
【発明の効果】
【００１４】
この発明に係る管接続具によれば、接続端部の先端部分の全体が進入空間に進入することで、接続端部の先端部分が膨らむようなことも避けられ、移動スリーブを移動させるのに要する荷重が低減する。
【発明を実施するための最良の形態】
【００１５】
以下、この発明に係る管接続具を実施するための最良の形態を図面に基づいて説明する。
【００１６】
図１ないし図１０は、本発明に係る管接続具の一実施の形態を示す。図中符号１は、通水管等の管であって、例えば架橋ポリエチレン樹脂等の合成樹脂製の管からなる。２は、管１を接続する管接続具であって、接続具本体３と移動スリーブ４とからなる。
【００１７】
ここで、接続具本体３は、例えば、合成樹脂製であって、筒形状がＴ字状に延設されて形成されたチーズからなる。この接続具本体３は、各端部に、管１の接続端部１ａに内挿される内挿筒部３ａを備えている。この内挿筒部３ａは、円筒形状に形成され、その外周面には、管１の抜けを防ぐために、リング状の突条３ｂ、３ｂが設けられている。また、接続具本体３は、内挿筒部３ａの基端から外側に張り出した（図示実施の形態においては、内挿筒部３ａの基端の全周から円形状に外側に張り出した）張出部３ｃを有する。さらに、接続具本体３は、前記張出部３ｃから内挿筒部３ａの先端側に突出して、その突出した側の先端３ｇが、内挿筒部３ａの基端側への前記接続端部１ａの相対的な移動を規制するようにその接続端部１ａの先端１ｃに当接する、管移動規制部３ｄを有する（図５参照）。そこで、内挿筒部３ａの外周部回りには、管１の外周側に嵌められた詳細を後述する移動スリーブ４が、接続端部１ａに内挿された内挿筒部３ａの基端側方向に移動することで、移動スリーブ４に押された接続端部１ａの先端１ｃが管移動規制部３ｄの先端３ｇから内方に落ち込むようにして、接続端部１ａの先端部分１ｂの全体が内挿筒部３ａの基端側に進む、進入空間３ｅが設けられている。ここにおいて、接続端部１ａの先端部分１ｂの全体を進入空間３ｅに進入させるために、管移動規制部３ｄと内挿筒部３ａとの間隔Ｑは、接続端部１ａあるいは管１の肉厚以上の寸法となっている（図３、図６参照）。そして、前記管移動規制部３ｄは、張出部３ｃの周方向の一部において突出し、その管移動規制部３ｄが突出していない部分に備わる空間が、前記進入空間３ｅを外方に臨ませる窓部３ｆとなっている。
【００１８】
詳細には、管移動規制部３ｄは、複数が、内挿筒部３ａの周方向に均等配置されており（図示実施の形態においては、二つが、対向位置して設けられており）、それら管移動規制部３ｄ、３ｄ間が、前記窓部３ｆ、３ｆとなっている。そして、管移動規制部３ｄの先端３ｇの、内挿筒部３ａ側の辺３ｈは、その辺３ｈの中央にて内挿筒部３ａの軸心３ｉを中心とする円と接するような直線となっている（図２参照）。なお、管移動規制部３ｄは、内挿筒部３ａの基端側方向に移動した移動スリーブ４の移動を止めるスリーブストッパ壁を兼ねている。
【００１９】
また、進入空間３ｅには、移動スリーブ４の移動によって進入空間３ｅに押し出されて進む接続端部１ａの先端部分１ｂに当接して、その接続端部１ａがさらに押し出されるのを規制する第２管移動規制部が設けられている。この第２管移動規制部は、押出部３ｋからなり、その押出部３ｋは、内挿筒部３ａから外方に向けて延出し、移動スリーブ４の移動によって進入空間３ｅに押し出されて進む前記接続端部１ａの先端部分１ｂを乗り上げさせるようにして外方に押し出すものである（図７、図８参照）。詳細には、押出部３ｋは、窓部３ｆに対応するようにして設けられる。より詳細には、この押出部３ｋは、内挿筒部３ａの軸心３ｉを中心とした、前記窓部３ｆの有する角度範囲Ｓの内側に設けられている（図３参照）。そして、押出部３ｋは、その全体が、管移動規制部３ｄの先端３ｇよりも、張出部３ｃ側に位置するように設けられている。より詳細には、押出部３ｋは、内挿筒部３ａの基端部分において、内挿筒部３ａから外方に向けて延出し、かつ、内挿筒部３ａの周方向に沿って弧を形成するように延設されている。そして、押出部３ｋの、内挿筒部３ａの先端側の端面３ｎは、移動スリーブ４の移動によって接続端部１ａが押し出されるのを規制するように、内挿筒部３ａに対して例えば略垂直（垂直を含む）となるように形成されている（図４、図６参照）。
【００２０】
また、接続具本体３には、管移動規制部３ｄと内挿筒部３ａとの間に、移動スリーブ４の移動によって進入空間３ｅに押し出されて進む接続端部１ａの先端部分１ｂを分け開くようにして押出部３ｋ側に導くリブ３ｐが設けられている（図３、図８〜図１０参照）。そして、図示実施の形態においては、押出部３ｋとリブ３ｐとの、内挿筒部３ａの先端側の端面３ｎ、３ｑは、内挿筒部３ａの軸心３ｉ方向において略同一位置（同一位置を含む）にある（図１参照）。
【００２１】
一方、移動スリーブ４は、管１の外周側に嵌められ、その管１の接続端部１ａに内挿された内挿筒部３ａの基端側方向に移動して（すなわち、管１の軸線に沿って、その管１の接続端部１ａよりも入り込んだ側から、接続端部１ａ側に移動して）、接続端部１ａを内挿筒部３ａとで挟持するものである。この移動スリーブ４は、例えば黄銅等の金属材料からなり、円筒形状に形成されている。そして、この移動スリーブ４は、その移動する先端側の端部内周が、面取りされてテーパー状に形成されたテーパー部４ａとなっている。
【００２２】
次に、以上の構成からなる管接続具２の作用効果について説明する。この管接続具２に合成樹脂製の管１を接続するには、始めに、移動スリーブ４を管１の外周側に嵌める。次いで、管１の口元を、例えば拡径用工具を用いて拡径して、接続端部１ａを形成する。そして、管１の拡径された接続端部１ａに、接続具本体３の内挿筒部３ａを、管移動規制部３ｄ（スリーブストッパ壁）の先端３ｇが接続端部１ａの先端１ｃに当接するまで内挿する（図５参照）。その後、管１の外周側に嵌められた移動スリーブ４を、例えば圧入用工具を用いて、内挿筒部３ａの基端側方向に、管移動規制部３ｄ（スリーブストッパ壁）に当接するまで移動させて、接続端部１ａを移動スリーブ４と内挿筒部３ａとで挟持する（図８参照）。
【００２３】
ここで、接続端部１ａは、移動する移動スリーブ４に押されるようにして、内挿筒部３ａの基端側に移動しようとするが、その接続端部１ａの移動は、接続端部１ａの先端１ｃが管移動規制部３ｄの先端３ｇに当接することで、一時的に阻止される（図５参照）。さらに移動スリーブ４を移動させると、移動スリーブ４に押された接続端部１ａの先端１ｃが、管移動規制部３ｄの先端３ｇから内方に落ち込むようにして、接続端部１ａの先端部分１ｂは、管移動規制部３ｄの先端３ｇに取り残されることなく、その全体が、進入空間３ｅに進入して内挿筒部３ａの基端側に進む（図６参照）。そして、このように、接続端部１ａの先端部分１ｂの全体が進入空間３ｅに進入することで、従来のような接続端部の先端の一部が移動防止部の先端に当接したままその接続端部の先端部分が膨らむ問題もなく、移動スリーブ４を移動させるのに要する荷重が低減する。また、進入空間３ｅは、管移動規制部３ｄよりも内挿筒部３ａ側、すなわち管移動規制部３ｄの内側に位置するため、接続端部１ａの外径が大であるほど、接続端部１ａの先端部分１ｂが管移動規制部３ｄの先端３ｇに留まり、進入空間３ｅに進入するタイミングが遅れる。さらに、接続端部１ａの外径が大であるほど、接続端部１ａの外周と移動スリーブ４の内周との摩擦が増加し、接続端部１ａは、移動スリーブ４の移動に追従して移動する度合いが増加する。これら二つの要因により、接続端部１ａの先端部分１ｂが進入空間３ｅに進入する量を、接続端部１ａの外径のばらつきに関わらず、一定の範囲に収めることが可能となる。
【００２４】
そして、図示実施の形態においては、進入空間３ｅに設けられた第２管移動規制部としての押出部３ｋが、移動スリーブ４の移動によって進入空間３ｅに押し出されて進む接続端部１ａの先端部分１ｂに当接して、その接続端部１ａがさらに押し出されるのを規制する（図６参照）。したがって、この押出部３ｋにより、接続端部１ａの先端１ｃが張出部３ｃに到達するのを遅らせたり、あるいは、その先端１ｃが張出部３ｃに到達しないようにすることができる。すなわち、接続端部１ａの先端１ｃが張出部３ｃに到達すると、その後の移動スリーブ４の移動に要する力は、急激に上昇するが、接続端部１ａの先端１ｃが張出部３ｃに到達するのを遅らせたり、その先端１ｃが張出部３ｃに到達しないようにすることで、前記移動スリーブ４の移動に要する力の上昇を抑えることができる。そして、このように、移動スリーブ４の移動に要する力の上昇を抑えることで、移動スリーブ４を、管移動規制部３ｄ（スリーブストッパ壁）に到達するまで円滑に移動させることができる。
【００２５】
また、ここにおいて、進入空間３ｅに押し出されて進む接続端部１ａの先端部分１ｂは、管移動規制部３ｄ、３ｄ間の窓部３ｆに対応する前記押出部３ｋを乗り上げるようにして外方に押し出される（図７、図８参照）。こうして、管１の接続端部１ａの先端部分１ｂは、押出部３ｋを乗り上げるようにして押し出されるが、押出部３ｋは、窓部３ｆに対応するように（図示実施の形態においては、内挿筒部３ａの軸心３ｉを中心とした、窓部３ｆの有する角度範囲Ｓの内側に）設けられており、接続端部１ａの先端部分１ｂにおける、窓部３ｆ側の管材料は、管移動規制部３ｄ側の管材料を引っ張るようにして、効率良く窓部３ｆ方向に押し出される。そして、このように、接続端部１ａの先端部分１ｂが、窓部３ｆと対応して設けられた押出部３ｋによって窓部３ｆ方向に押し出されることで、窓部３ｆから、接続端部１ａの先端部分１ｂを容易に目視することができ、管１の接続状態を簡単に確認することができる（図８〜図１０参照）。しかも、図示実施の形態においては、管１の接続端部１ａの先端部分１ｂは、管移動規制部３ｄと内挿筒部３ａとの間のリブ３ｐによって押出部３ｋ側に導かれるため、接続端部１ａの先端部分１ｂにおける、窓部３ｆ側の管材料は、一層効率良く窓部３ｆ方向に押し出される（図１０参照）。したがって、窓部３ｆから、接続端部１ａの先端部分１ｂを一層容易に目視することができる。
【００２６】
なお、本発明は、上述した実施の形態に限定されるわけではなく、その他種々の変更が可能である。例えば、接続具本体３は、合成樹脂製でなくとも、黄銅や青銅等の金属製であってもよい。また、反対に、移動スリーブ４は、強度が保たれるのであれば、金属製でなくとも、合成樹脂製であってもよい。
【００２７】
また、接続具本体３は、Ｔ字状に形成されたチーズでなくとも、曲って形成されたエルボーであってもよく、また、直状等その他の形状に形成されたものであってもよい。そして、接続具本体３は、各端部に内挿筒部３ａを備えるが、全ての端部に内挿筒部３ａを備える必要はなく、例えば、一つの端部が、その外周面あるいは内周面にネジ部を備えて、そのネジ部に、他の接続具等が接続されるような構造であっても構わない。
【００２８】
また、管移動規制部３ｄは、二つ設けられているが、一つであってもよく、また、三つ以上設けられてもよい。また、管移動規制部３ｄと内挿筒部３ａとの間には、リブ３ｐが設けられているが、このリブ３ｐはなくともよい。
【００２９】
また、管１は、合成樹脂製であれば、通水管の他に、ガス管とか電線管等であっても構わない。
【図面の簡単な説明】
【００３０】
【図１】この発明に係る管接続具の一実施の形態の、正面図である。
【図２】同じく、図１におけるＡ矢視図である。
【図３】同じく、図１におけるＢ−Ｂ線による断面図である。
【図４】同じく、図２におけるＣ−Ｃ線による断面図である。
【図５】同じく、管接続具に管を接続する第１の過程を示す、図４相当位置の断面図である。
【図６】同じく、管接続具に管を接続する第２の過程を示す、図４相当位置の断面図である。
【図７】同じく、管接続具に管を接続する第３の過程を示す、図４相当位置の断面図である。
【図８】同じく、管接続具に管を接続する第４の過程（終了過程）を示す、図４相当位置の断面図である。
【図９】同じく、図８におけるＤ矢視図である。
【図１０】同じく、図８におけるＥ矢視図である。
【図１１】従来の接続具において、通水管を接続する中間過程を示す断面図である。
【図１２】同じく、通水管を接続する終了過程を示す断面図である。
【符号の説明】
【００３１】
１  管
１ａ  接続端部
１ｂ  先端部分
１ｃ  先端
２  管接続具
３  接続具本体
３ａ  内挿筒部
３ｃ  張出部
３ｄ  管移動規制部
３ｅ  進入空間
３ｆ  窓部
３ｇ  先端
３ｉ  軸心
３ｋ  押出部（第２管移動規制部）
３ｐ  リブ
４  移動スリーブ
【図１】
2006336707.tif 000003
【図２】
2006336707.tif 000004
【図３】
2006336707.tif 000005
【図４】
2006336707.tif 000006
【図５】
2006336707.tif 000007
【図６】
2006336707.tif 000008
【図７】
2006336707.tif 000009
【図８】
2006336707.tif 000010
【図９】
2006336707.tif 000011
【図１０】
2006336707.tif 000012
【図１１】
2006336707.tif 000013
【図１２】
2006336707.tif 000014